(57)【要約】【課題】  カウンター等を振動させて音を再生する際、振動の振幅を小さい状態に保ちつつ、振動による再生音を良好に聞き取ることができるようにすること。【解決手段】  設置面Ｆ上に配置され、内部に収納空間Ｓ１を備えたキャビネット本体１１と、このキャビネット本体１１の上部に設けられたカウンター１４とを備えてキッチン１０が構成されている。収納空間Ｓ１内には、中音を再生可能な第１のスピーカ３３及び低音を再生可能な第２のスピーカ３４が設けられている。カウンター１４の裏面にはアクチュエーター３５が取り付けられている。アクチュエーター３５は、カウンター１４を振動させて高音だけを再生可能に設けられている。【選択図】      図３
2006074121.tif 000002
【特許請求の範囲】
【請求項１】
建築物若しくは家具の壁面を形成する板状体と、この板状体の面内に取り付けられるアクチュエーターとを含み、
前記アクチュエーターは、板状体を振動させて高音だけを再生可能に設けられていることを特徴とする音響構造。
【請求項２】
所定の設置面上に配置された周壁部と、当該周壁部の上部に設けられた頂壁部と、この頂壁部の裏面に取り付けられたアクチュエーターとを含み、
前記アクチュエーターは、頂壁部を振動させて高音だけを再生可能に設けられていることを特徴とする作業台。
【請求項３】
前記周壁部及び頂壁部で囲まれる空間内には、中音及び低音を再生可能なスピーカ装置が設けられ、当該スピーカ装置は、アクチュエーターより下方に配置されるとともに、周壁部及び頂壁部により略隠蔽された位置に設けられていることを特徴とする請求項２記載の作業台。
【請求項４】
前記周壁部には複数の通路が設けられ、これら通路は、平面視略放射状にスピーカ装置からの再生音を通過させることを特徴とする請求項３記載の作業台。
【請求項５】
前記周壁部の内側には、前記設置面と略平行に位置する中間壁部が設けられ、前記通路を通過する音は、スピーカ装置からの再生音が設置面、頂壁部及び中間壁部の少なくとも一つに反射した間接音となることを特徴とする請求項４記載の作業台。
【請求項６】
前記通路は、周壁部の下側に設けられていることを特徴とする請求項４又は５記載の作業台。
【請求項７】
前記周壁部は、設置面上に配置される枠状の蹴込み部を含み、この蹴込み部の内側から外側に向かってスピーカ装置からの再生音を流すことを特徴とする請求項３ないし６の何れかに記載の作業台。
【請求項８】
前記周壁部の内側にダクトが設けられ、当該ダクトを介して前記スピーカ装置からの再生音を流すことを特徴とする請求項３ないし７の何れかに記載の作業台。
【請求項９】
前記スピーカ装置は、前方若しくは後方寄りに配置され、その再生音を音圧調整手段を介して前後方向に流すことを特徴とする請求項３ないし８の何れかに記載の作業台。
【請求項１０】
前記スピーカ装置は、前記中間壁部に緩衝材を介して取り付けられていることを特徴とする請求項５記載の作業台。
【請求項１１】
前記周壁部の面内には、前記再生音による共鳴を抑制する補強部材が設けられていることを特徴とする請求項３ないし１０の何れかに記載の作業台。
【発明の詳細な説明】
【技術分野】
【０００１】
本発明は、音響構造及び作業台に係り、更に詳しくは、外面側を形成する板状体や頂壁部から音を再生させる音響構造及び作業台に関する。
【背景技術】
【０００２】
従来より、特許文献１に開示されているように、キッチンのシンク等にアクチュエーターを取り付けて音響効果を奏する構造が知られている。このような構造によれば、アクチュエーターにより振動するシンクが発音体となり、音を再生することができるようになっている。
【０００３】
【特許文献１】特開２００２−２０９２８７号公報
【発明の開示】
【発明が解決しようとする課題】
【０００４】
しかしながら、特許文献１の構造にあっては、中音若しくは低音を再生すると、シンクにおける振動の振幅が大きくなる。このため、中音若しくは低音の再生時に、シンクに触れた使用者に不快感を与えたり、シンク上で食器等が振動してがたつき、シンクの取扱性や作業性を損なうという不都合を生じる。
また、シンクを全体的に振動させるので、振幅の大きい中音及び低音の再生に要する電力が大きくなる。このため、振動させるシンク等の質量が大きくなる程、出力の大きいアンプが必要となり、設備のコスト的な負担が増大するばかりでなく、再生される音質も低下するという不都合を招来する。
【０００５】
［発明の目的］
本発明は、このような不都合に着目して案出されたものであり、その目的は、板状体や頂壁部の振動の振幅を小さい状態に保ちつつ、当該振動による再生音を良好に聞き取ることができる音響構造や作業台を提供することにある。
【課題を解決するための手段】
【０００６】
前記目的を達成するため、本発明の音響構造は、建築物若しくは家具の壁面を形成する板状体と、この板状体の面内に取り付けられるアクチュエーターとを含み、
前記アクチュエーターは、板状体を振動させて高音だけを再生可能に設けられる、という構成を採っている。
【０００７】
また、本発明の作業台は、所定の設置面上に配置された周壁部と、当該周壁部の上部に設けられた頂壁部と、この頂壁部の裏面に取り付けられたアクチュエーターとを含み、
前記アクチュエーターは、頂壁部を振動させて高音だけを再生可能に設けられる、という構成が採用される。
【０００８】
本発明の作業台において、前記周壁部及び頂壁部で囲まれる空間内には、中音及び低音を再生可能なスピーカ装置が設けられ、当該スピーカ装置は、アクチュエーターより下方に配置されるとともに、周壁部及び頂壁部により略隠蔽された位置に設けられる、という構成を採ることができる。
【０００９】
また、本発明において、前記周壁部には複数の通路が設けられ、これら通路は、平面視略放射状にスピーカ装置からの再生音を通過させる、という構成を採ることが好ましい。
【００１０】
また、前記周壁部の内側には、前記設置面と略平行に位置する中間壁部が設けられ、前記通路を通過する音は、スピーカ装置からの再生音が設置面、頂壁部及び中間壁部の少なくとも一つに反射した間接音となる、という構成を採用することができる。
【００１１】
更に、前記通路は周壁部の下側に設けられる、という構成も好ましくは採用される。
【００１２】
また、前記周壁部は、設置面上に配置される枠状の蹴込み部を含み、この蹴込み部の内側から外側に向かってスピーカ装置からの再生音を流すようにするとよい。
【００１３】
更に、前記周壁部の内側にダクトが設けられ、当該ダクトを介して前記スピーカ装置からの再生音を流すことが好ましい。
【００１４】
また、前記スピーカ装置は、前方若しくは後方寄りに配置され、その再生音を音圧調整手段を介して前後方向に流す、という構成を採用してもよい。
【００１５】
更に、前記スピーカ装置は、前記中間壁部に緩衝材を介して取り付けられるとよい。
【００１６】
また、前記周壁部の面内には、前記再生音による共鳴を抑制する補強部材を設けることができる。
【発明の効果】
【００１７】
本発明によれば、板状体を振動させて高音だけを再生するので、振動の振幅を比較的小さくすることができる。これにより、板状体に触れた者に不快感を与えることを防止できる他、振動に要する消費電力を抑制して、コスト的に有利な出力の小さいアンプを用いることが可能となる。ここで、高音は、人間の聴感が最も敏感な帯域であるため、再生される音の聞き取り易さが良好に維持される。
【００１８】
また、作業台の頂壁部を振動させて高音だけを再生した場合には、前述と同様の効果が得られる他、頂壁部上に乗せた物が振動してがたつくことを抑制することができ、従来例のシンクのように、作業性が損なわれることを回避することが可能となる。しかも、使用者の耳により近い頂壁部から高音を再生するので、耳の近くに音像を定位させることができ、再生音を聞き取り易くすることができる。
【００１９】
更に、スピーカ装置が略隠蔽されるので、当該スピーカ装置に汚れ等が付着することを回避でき、特に、作業台をキッチンとした場合には、調理作業等による水分や油分等によって汚損することを防止することが可能となる。しかも、周壁部及び頂壁部で囲まれる空間内にスピーカ装置が配置されるため、作業台の製造ライン等でスピーカ装置を簡単且つ迅速に設置でき、施工現場等での作業を少なくすることが可能となる。また、頂壁部とスピーカ装置とにより音域を分けて再生するので、これらの再生音の音質をより良く保つことができる。
【００２０】
また、周壁部の通路がスピーカ装置からの再生音を略放射状に通過させるので、周壁部の周りにおける音質の均一化を図ることができる。従って、作業台を囲うように無指向の快適な音場が作り出され、作業台を複数の使用者で囲んだときに、各使用者に同様の音響効果を付与することが可能となる。
【００２１】
更に、通路を通過する音を設置面や頂壁部に反射した間接音としたから、例えば、スピーカ装置の一の発音源からの再生音を複数の通路に通過させることができ、音響効果を維持しつつ前記発音源の設置数を少なくすることができる。
【００２２】
また、スピーカ装置からの再生音を周壁部の下側や蹴込み部から流すことにより、低音が長い面となる設置面に沿って出やすくなり、低音の音響効果を十分に得ることが可能となる。
【００２３】
更に、ダクトを介してスピーカ装置からの再生音を流す場合、スピーカ装置からの距離に依存する再生音の音圧低下を抑制でき、これにより、周壁部内におけるスピーカ装置のレイアウトの自由度を向上させることができる。しかも、ダクトの長さ及び開口面積を調整することにより、外部に流す音の周波数をコントロールすることが可能となる。
【００２４】
また、音圧調整手段を介して再生音を前後に流す場合には、周壁部内においてスピーカ装置を前寄り若しくは後寄りにしても、前方及び後方の音圧が略同じとなるように調整することができる。これにより、周壁部内の空間を収納スペースとした場合、スピーカ装置が邪魔になり難くなって収納スペースを利用し易くすることが可能となる。
【００２５】
更に、緩衝材を介してスピーカ装置を取り付けたり、周壁部の面内に補強部材を設けることにより、スピーカ装置からの再生音による中間壁部や周壁部の共鳴を抑制し、不快な音が発生することを防止することが可能となる。
【００２６】
なお、本明細書及び特許請求の範囲において、「作業台」とは、キッチン、収納キャビネット、テーブル、作業テーブル、洗面台等を含む概念を意味する。
また、「前」、「後」、「上」、「下」、「左」、「右」等の位置若しくは方向を示す用語は、特に明記しない限り、図１中矢印Ａ方向に見た場合を基準とする。
更に、「高音」は１ｋＨｚ以上、「低音」は１５０Ｈｚ以下、「中音」は前記高音と低音の間の周波数を意味する。
【発明を実施するための最良の形態】
【００２７】
以下、本発明の好ましい実施の形態について図面を参照しながら説明する。
【００２８】
［第１実施形態］
図１には、第１実施形態に係るキッチンの概略斜視図が示されている。この図において、作業台としてのキッチン１０は、一般住宅等において、キッチンルームの中央部或いはキッチンルームとダイニングルームとの境界部等に配置される。キッチン１０は、設置面Ｆ上に配置されるとともに、内部に収納空間Ｓ１を備えたキャビネット本体１１と、このキャビネット本体１１の上部に設けられるとともに、水栓装置（図示省略）やシンク１３を有する平面視横長な略長方形状に形成された頂壁部としてのカウンター１４とを備えて構成されている。
【００２９】
前記キャビネット本体１１は、左右方向に並ぶ三つのキャビネット、すなわち、左から右に向かって位置する第１ないし第３のキャビネット１６〜１８を備えて構成されている。
【００３０】
前記第１のキャビネット１６は、図２及び図３にも示されるように、左右一対の側板２０，２１と、これら側板２０，２１の前後両側に一対ずつそれぞれ設けられた扉２２，２２と、各扉２２，２２の上部側であって各側板２０，２１の前部間を連結する前板２４及び後部間を連結する後板２５と、前板２４及び後板２５の下部間を連結して設置面Ｆと略平行に位置する中間壁部としての仕切板２６と、各側壁２０，２１の下部間を連結して設置面Ｆと略平行に位置する中間壁部としての底板２７と、設置面Ｆ上に配置され、平面視略方形の枠状（図４参照）をなす蹴込み部２９とを備えて構成されている。第１のキャビネット１６内の収納空間Ｓ１は、カウンター１４と、側板２０，２１、扉２２、前板２４及び後板２５とにより囲まれてカウンター１４の使用者から略隠蔽される。左側の側板２０、前板２４及び後板２５の上端部には、横長な凹状をなす上部通路３０がそれぞれ設けられ、当該上部通路３０を介して第１のキャビネット１６の外部と仕切板２６より上方の収納空間Ｓ１とが連通するようになっている。また、蹴込み部２９の前後両面及び左面には、略円形をなす複数の下部通路３１がそれぞれ設けられ、当該下部通路３１により、蹴込み部２９、底板２７及び設置面Ｆで囲まれた空間Ｓ２が蹴込み部２９の外側と連通する。ここで、前記収納空間Ｓ１内には、スピーカ装置を構成し、再生音域が異なる第１及び第２のスピーカ３３，３４が設けられている。
【００３１】
前記第１のスピーカ３３は、第２のスピーカ３４より小型で中音を再生可能なツィーターやスコーカーにより構成されている。第１のスピーカ３３は、仕切板２６の下面における面内中央部に取り付けられ、仕切板２６に形成された開口部２６Ａを通じてカウンター１４の下面に向かって中音を再生するようになっている。
【００３２】
前記第２のスピーカ３４は、底板２７の面内中央部における上面側に取り付けられ、これにより、第１のスピーカ３３が第２のスピーカ３４より上方に位置することとなる。第２のスピーカ３４は、低音を再生可能に設けられ、底部２７の開口部２７Ａを通じて下方の設置面Ｆに向かって再生するようになっている。
【００３３】
前記第２のキャビネット１７は、第１のキャビネット１６に対し、各スピーカ３３，３４の設置を省略するとともに、上部通路３０及び下部通路３１を形成しない構成と略同一となっている。また、前記第３のキャビネット１８は、第１のキャビネット１６に対し、左右対称となる構造が採用されている。従って、第２及び第３のキャビネット１７，１８において、第１のキャビネット１６と同一若しくは同等の構成部分については同一符号を用い、説明を省略する。
ここにおいて、第１ないし第３のキャビネット１６〜１８の外側に表出する側壁２０、扉２２，前板２４、後板２５及び蹴込み部２９により周壁部が構成される。
【００３４】
前記カウンター１４の高さ位置は、本実施形態では、起立した使用者の腰付近に位置するように設定され、カウンター１４の上面が作業面若しくは作業領域として利用できるようになっている。ここで、カウンター１４の下面（裏面）であって、各第１のスピーカ３３，３３の上方には、アクチュエーター３５，３５がそれぞれ取り付けられている。各アクチュエーター３５，３５は、カウンター１４を振動体として作用するように振動させ、当該振動により高音だけを再生可能に設けられている。
【００３５】
ここで、第１及び第２のスピーカ３３，３４及びアクチュエーター３５は、図示しない接続コードを介して各種チューナ、プレーヤ、アンプ等からなる音響機器に接続されている。当該音響機器は、前記収納空間Ｓ１に収納したり、キッチン１０とは異なる場所、例えば、ダイニングルームやリビングルームに設置してもよい。また、音響機器の操作は、当該音響機器に接続されて所定の壁面等に取り付けられる操作盤や、無線タイプのリモコン等を介して行うことが例示できる。
【００３６】
以上の構成において、前記音響機器より第１及び第２のスピーカ３３，３４及びアクチュエーター３５に出力を行うと、これらによって低音、中音及び高音が同時に再生される。
具体的には、アクチュエーター３５は、カウンター１４を振動させて高音を再生し、当該高音がカウンター１４全体から上方に向かって放射される。第１のスピーカ３３から再生される中音は、カウンター１４の下面及び仕切板２６の上面に反射し、間接音として各上部通路３０を通じてキャビネット本体１１の外側に流れる。第２のスピーカ３４から再生される低音は、設置面Ｆ及び底板２７の下面に反射し、間接音として空間Ｓ２から各下部通路３１を通じて蹴込み部２９の外側に流れる。
【００３７】
ここで、図２及び図４に示されるように、上部通路３０及び下部通路３１がキャビネット本体１１の前後方向（図中上下方向）両側及び左右方向両側に形成されるので、第１及び第２のスピーカ３３，３４からの再生音は、上部通路３０及び下部通路３１を通過することにより、平面視略放射状（図２及び図４中破線の矢印方向）にキャビネット本体１１の外側に流れることとなる。
【００３８】
従って、このような第１実施形態によれば、カウンター１４から再生される音が高音だけとなるので、カウンター１４の振動の振幅が大きくなることを抑制することができる。これにより、カウンター１４で調理等の作業を行う使用者が不快に感じることを回避でき、且つ、カウンター１４上の食器や調理器具等を置いても、これらががたつくことを防止して作業性を良好に維持することができる。また、カウンター１４によって全ての可聴音域を再生する場合に比べ、音質を向上できるばかりでなく、消費電力を小さくすることが可能となる。しかも、高音は人間の聴感が敏感な帯域であるので、小さい電力で十分な音響効果を得ることができ、これによっても、消費電力を低減することが可能となる。
【００３９】
また、高音がカウンター１４から再生されるので、使用者の耳により近い位置で音像を安定的に定位させることが可能となる。しかも、中音が上部通路３０から略放射状に通過する一方、低音が蹴込み部２９内の空間Ｓ２を通じて下部通路３１を通過するので、中低音を設置面Ｆに沿わせて当該中低音の音圧を高めることができる。これらのことから、キッチン１０周りに無指向の音場が作り出され、例えば、複数の使用者によりキッチン１０を囲んで調理作業等を行った場合、各使用者の位置にかかわらず音響効果を均一化させることができ、良好な雰囲気作りを行うことが可能となる。
【００４０】
また、各スピーカ３３，３４が収納空間Ｓ１内に配置されて略隠蔽されるので、調理作業時の油分等によって各スピーカ３３，３４が汚れることを回避することができる。更に、仕切板２６や設置面Ｆを介して各スピーカ３３，３４からの再生音を略放射状に流しているので、各スピーカ３３，３４の設置数を抑制でき、配線作業等の簡略化を図ることが可能となる。
【００４１】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００４２】
［第２実施形態］
図６及び図７には、本発明の第２実施形態に係るキッチン１０が示されている。この第２実施形態は、第１実施形態に対し、第２のスピーカ３４、開口部２７Ａ及び下部通路３１を省略し、第１のスピーカ３３より中音だけでなく低音も再生可能としたものである。
これによれば、蹴込み部２９等の構造の簡略化を図ることができる他、底板２７上に収納物を載置できる領域を広く確保することが可能となる。
【００４３】
［第３実施形態］
図８には、本発明の第３実施形態に係るキッチン１０が示されている。この第３実施形態は、第１実施形態に対し、第１のスピーカ３３、開口部２６Ａ及び上部通路３０を省略し、第２のスピーカ３４より低音だけでなく中音も再生可能としたものである。
【００４４】
［第４実施形態］
図９及び図１０には、本発明の第４実施形態に係るキッチン１０が示されている。この第４実施形態は、第２のスピーカ３４からダクト３７を介して再生音を流すものである。
第４実施形態において、第１のキャビネット１６の底板２７上には、二つの第２のスピーカ３４が前後に並んで配置されている。前方すなわち図１０中下方の第２のスピーカ３４から延びるダクト３７は、第１のキャビネット１６の空間Ｓ２を左右に仕切る中間板３８に接続され、当該中間板３８の開口部３８Ａ及び下部通路３１を通じて第１のキャビネット１６の下方領域に低音が流される。また、後方すなわち図１０中上方の第２のスピーカ３４から延びるダクト３７は、第３のキャビネット１８の空間Ｓ２内の中間板３９に接続され、この中間板３９の開口部３９Ａ及び下部通路３１を通じて第３のキャビネット１６の下方領域に低音が流される。
【００４５】
従って、このような第４実施形態によれば、第１のキャビネット１６だけに各第２のスピーカ３４を集中して配置することができる。これにより、第３のキャビネット１８の収納空間Ｓ１の使い勝手を向上できる他、第２のスピーカ３４の配線作業を第１のキャビネット１６だけで行えばよくなり、当該作業の容易化を図ることが可能となる。また、各ダクト３７の長さや開口面積を変更することにより、流される音の周波数を調整することができる。
【００４６】
［第５実施形態］
図１１及び図１２には、本発明の第５実施形態に係るキッチン１０が示されている。この第５実施形態は、第１のキャビネット１６内の第２のスピーカ３４を前寄りに配置する一方、第３のキャビネット１８内の第２のスピーカ３４を後寄りに配置したものである。
第１のキャビネット１６内の第２のスピーカ３４の下方には、ディフューザ４１が配置されている。このディフューザ４１は、略円形の反射面部４１Ａを備え、当該反射面部４１Ａは、下方に向かうに従って後方（図１２中左方）に傾斜する方向に向けられている。また、第１のキャビネット１６内の下部通路３１は、蹴込み板２９の前面よりも後面の形成数が多くなっている。このように、蹴込み板２９の前後で下部通路３１の形成数を変えたり、前記ディフューザ４１を設けることにより、第２のスピーカ３４からの再生音の音圧を前後方向でバランス良く調整可能となり、これらによって音圧調整手段が構成される。
なお、第３のキャビネット１８は、第１のキャビネット１６に対して前後の向きを変えた位置関係となるよう、ディフューザ４１を設け、且つ、蹴込み板２９の前後で下部通路３１の形成数を変えることにより、第２のスピーカ３４の音圧のバランスを保つようになっている。
【００４７】
従って、このような第５実施形態によれば、キャビネット本体１１の前後方向中央部を通過する仮想線Ｌ（図１１中一点鎖線で示す）に各第２のスピーカ３４，３４を重ならないように配置しても、キャビネット本体１１の前後における音圧の均一化を図ることが可能となる。
【００４８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４９】
例えば、キャビネット本体１１は、種々の設計変更が可能であり、例えば、扉２２に代えて複数の引き出しを設けたり、蹴込み部２９を含む各キャビネット１６〜１８の下側を引き出しとしてもよい。更に、キャビネット本体１１及びカウンター１４の平面形状を、略円形、略楕円形、略多角形等としたり、略方形に対して外側に部分的に膨出したり凹んだりする形状を採用してもよい。また、上部通路３０や下部通路３１には再生音を通過させることができる適宜なカバーを設けてもよい。
【００５０】
更に、三つのキャビネット１６〜１８を並べてキャビネット本体１１を構成したが、キャビネットの設置数を増減させたり、前後及び左右にキャビネットを並べてキャビネット本体１１を構成してもよい。この場合、図１３に示されるように、前後に並ぶ各キャビネット４３，４３の相対面部４４を薄板状に形成し、当該相対面部４４に横方向に延びる複数枚の補強部材４５を取り付けてもよい。当該補強部材４５により、各スピーカ３３，３４の再生音によって相対面部４４が共鳴することを抑制し、不快な音が生じることが防止される。なお、図１４に示されるように、二枚の補強部材４５をクロスするように配置してもよい。
【００５１】
更に、図１５に示されるように、断面視クランク状をなす取付部材４７を介して第２のスピーカ３４を底板２７に取り付け、第２のスピーカ３４のフランジ部３４Ａと、取付部材４７及び底板２７との間にゴム等の弾性部材からなる緩衝材４８を設けてもよい。これによれば、底板２７の防振効果を得ることができ、意図しない音が発生することを回避することができる。
【００５２】
また、第４及び第５実施形態において、第２のスピーカ３４に対してダクト３７やディフューザ４１等からなる音圧調整手段を設けたが、これらを第１のスピーカ３３に対して同様に設けてもよい。
更に、第５実施形態では、蹴込み板２９の前後で下部通路３１の形成数を変えたが、下部通路３１の開口面積を前後で変えることにより音圧を調整してもよい。
【００５３】
また、前記各実施形態において、第１及び第２のスピーカ３３，３４を省略してもよいが、第１及び第２のスピーカ３３，３４を設けた方が中音及び低音を再生できる点で有利となる。
【００５４】
更に、キッチン１０を室内の壁面或いは入隅面に隣接して配置してもよい。この場合、各スピーカ３３，３４からの再生音は、使用者が作業可能な位置に向かって流すようにするとよい。
【００５５】
更に、本発明は、キッチン１０に限られず、テーブルや洗面台等の上部領域で所定作業を行うことができる種々の作業台に適用することができる。
また、前記アクチュエーター３５は、建築物や家具の壁面を形成する板状体の面内に取り付けて高音を再生させることも可能である。アクチュエーター３５の取り付け位置の具体例としては、室内空間を形成する天井、間仕切り、扉の他、オフィスや一般住宅に配置される収納キャビネット等が挙げられる。
【図面の簡単な説明】
【００５６】
【図１】第１実施形態に係るキッチンの概略斜視図。
【図２】図１の平面図。
【図３】図２のＢ−Ｂ線に沿う断面図。
【図４】図３のＣ−Ｃ線に沿う断面図。
【図５】図３のＤ−Ｄ線に沿う断面図。
【図６】第２実施形態に係るキッチンの図３と同様の断面図。
【図７】図６のＥ−Ｅ線に沿う断面図。
【図８】第３実施形態に係るキッチンの図３と同様の断面図。
【図９】第４実施形態に係るキッチンの図３と同様の断面図。
【図１０】第４実施形態に係るキッチンの図４と同様の断面図。
【図１１】第５実施形態に係るキッチンの図４と同様の断面図。
【図１２】図１１のＦ−Ｆ線に沿う断面図。
【図１３】変形例に係るキッチンの部分分解斜視図。
【図１４】他の変形例にキッチンの部分斜視図。
【図１５】更に他の変形例の部分拡大断面図。
【符号の説明】
【００５７】
１０・・・キッチン（作業台）、１４・・・カウンター（頂壁部）、２０，２１・・・側板（周壁部）、２２・・・扉（周壁部）、２４・・・前板（周壁部）、２５・・・後板（周壁部）、２６・・・仕切板（中間壁部）、２７・・・底板（中間壁部）、２９・・・蹴込み部、３０・・・上部通路、３１・・・下部通路、３３・・・第１のスピーカ（スピーカ装置）、３４・・・第２のスピーカ（スピーカ装置）、３５・・・アクチュエーター、３７・・・ダクト、４１・・・ディフューザ、４５・・・補強部材、４７・・・緩衝材、Ｆ・・・設置面、Ｓ１・・・収納空間、Ｓ２・・・空間
【図１】
2006074121.tif 000003
【図２】
2006074121.tif 000004
【図３】
2006074121.tif 000005
【図４】
2006074121.tif 000006
【図５】
2006074121.tif 000007
【図６】
2006074121.tif 000008
【図７】
2006074121.tif 000009
【図８】
2006074121.tif 000010
【図９】
2006074121.tif 000011
【図１０】
2006074121.tif 000012
【図１１】
2006074121.tif 000013
【図１２】
2006074121.tif 000014
【図１３】
2006074121.tif 000015
【図１４】
2006074121.tif 000016
【図１５】
2006074121.tif 000017